(57)【特許請求の範囲】
【請求項１】
流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を囲むようにガードが取り付けられ、該押圧部材の一端部が該ガードに連結され、該押圧部材の他端部にレバーが設けられ、
前記開放維持手段が、前記ガードに折り曲げ可能に設けられた折曲プレートから構成されており、
前記レバーを操作して前記押圧部材を押し下げた状態で、前記折曲プレートを折り曲げて該折曲プレートの下側で該押圧部材を係合させることによって、前記噴出経路を開放した状態に維持して前記密閉缶体内の圧力を外部へ抜くことを特徴としたスプレー缶の圧抜き構造。
【発明の詳細な説明】
【技術分野】
【０００１】
本発明は、化粧品、塗料、又はプロパンガス等を圧縮充填しておいて噴出させるスプレー缶の圧抜き構造に関する。
【背景技術】
【０００２】
従来から、化粧品等の流体をスプレー缶に充填して販売している。図５に、このスプレー缶の一例として、化粧品のスプレー缶１０１を示す。スプレー缶１０１は、化粧品（流体）１０２を圧縮して入れる密閉缶体１０３と、この化粧品１０２を外部へ導く噴出経路１０４と、この噴出経路１０４を閉鎖又は開放する開閉手段１０５とを備えている。噴出経路１０４は、図６に示すように、密閉缶体１０３内の化粧品１０２内に通じるパイプ１０６と、外部に通じる噴出口１０７と、パイプ１０６及び噴出口１０７を連結する連結経路１０８とを備えている。連結経路１０８は、パイプ１０６を支持するパイプ支持部材１０９の中空部１１０と、パイプ支持部材１０９に挿入された移動部材１１１の中空部１１２とから構成される。開閉手段１０５は、中空部１１０と中空部１１２との連結部を閉鎖するパッキン１１３と、移動部材１１１を押し下げてパッキン１１３による閉鎖を開放する押圧部材１１４とから構成されている。このスプレー缶１０１は、パッキン１１３によって噴出経路１０４を閉鎖して密閉する一方で、使用時には、図７に示すように、押圧部材１１４を指１１５で押し下げてパッキン１１３を変形させ、噴出経路１０４を開放して化粧品１０２を外部へ噴出させることができる。
【０００３】
このようなスプレー缶１０１は、廃棄する場合には、多少残っているガスの暴発を防止するために、押圧部材１１４を指１１５で押し下げて化粧品１０２を殆ど全て噴出させることにより、密閉缶体１０３内の圧力を抜いて外部圧力と略同じにしていた。しかし、このようにして圧力を抜くには時間がかかった。また、密閉缶体１０３に孔を開けることによって密閉缶体１０３内の圧力を抜くこともあった。しかし、この場合には、工具を使用して困難な作業を行う必要があり、専用装置を使用する場合にはコストが必要となった。
【発明の開示】
【発明が解決しようとする課題】
【０００４】
そこで、本発明者は、スプレー缶の圧抜き構造に関して、さらに鋭意研究を重ねた結果、本発明に至ったのである。すなわち、本発明は、使用済のスプレー缶を廃棄する際に、スプレー缶の内圧を、容易、迅速かつ安全に抜くようにすることを目的とする。
【課題を解決するための手段】
【０００５】
本発明は、流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開閉手段は、前記パイプ支持部材の中空部と前記移動部材の中空部との連結部を閉鎖するパッキンと、前記移動部材を押し下げてパッキンによる閉鎖を開放する押圧部材と、から構成され、
前記密閉缶体のかしめ突起部に前記押圧部材を囲むようにガードが取り付けられ、該押圧部材の一端部が該ガードに連結され、該押圧部材の他端部にレバーが設けられ、
前記開放維持手段が、前記ガードに折り曲げ可能に設けられた折曲プレートから構成されており、
前記レバーを操作して前記押圧部材を押し下げた状態で、前記折曲プレートを折り曲げて該折曲プレートの下側で該押圧部材を係合させることによって、前記噴出経路を開放した状態に維持して前記密閉缶体内の圧力を外部へ抜くことを特徴としている。
【発明の効果】
【０００６】
開放維持手段を備える本発明のスプレー缶の圧抜き構造によれば、噴出経路が開放した状態で維持できる。このため、スプレー缶を廃棄する際には、噴出経路が開放した状態に維持して放置するのみで圧力を抜くことができる。
【０００７】
しかも、この開放維持手段が、ガードに折り曲げ可能に設けられた折曲プレートから構成されているので、押圧部材を下へ移動させて折曲プレートを押圧部材側へ折り曲げるだけで、噴出経路を開放した状態に維持することができる。また、かしめ突起を有する従来の密閉缶体に適用できるので、ガード及び押圧部材を用意しさえすれば、従来の密閉缶体に対する圧抜き作業を行うことができる。
【発明を実施するための最良の形態】
【０００８】
まず、図１及び図２を参照しながら、従来の圧抜き構造を備えたスプレー缶について説明し、その後、図３及び図４を参照しながら、本願発明に係るスプレー缶の圧抜き構造について説明する。
【０００９】
図１及び図２に示すスプレー缶２００は、ヘアトリートメント等の化粧品（流体）を圧縮して入れる密閉缶体１４と、密閉缶体１４内の化粧品を外部へ導く噴出経路１６と、噴出経路１６を閉鎖又は開放する開閉手段１８と、噴出経路１６を開放した状態に維持する開放維持手段２０２とを備えている。開放維持手段２０２がスプレー缶の圧抜き構造として機能する。
【００１０】
噴出経路１６は、密閉缶体１４内の化粧品内に通じるパイプ２２と、外部に通じる噴出口２４と、パイプ２２及び噴出口２４を連結する連結経路２６とを備えている。連結経路２６は、パイプ２２を支持するパイプ支持部材２８の中空部３０と、パイプ支持部材２８に挿入された移動部材３２の中空部３４とから構成される。開閉手段１８は、中空部３０と中空部３４との連結部を閉鎖するパッキン３６と、移動部材３２を押し下げてパッキン３６による閉鎖を開放する押圧部材３８とから構成されている。
【００１１】
開放維持手段２０２は、移動部材３２のまわりに回動可能な押圧部材３８に設けられた２個の凸部２０４と、密閉缶体１４に設けられた２個の爪部２０６とから構成されている。
【００１２】
このスプレー缶２００は、化粧品用等として通常に使用する場合には、押圧部材３８を押圧して移動部材３２を下へ移動させることにより、移動部材３２に係合されているパッキン３６が変形し、中空部３０と中空部３４とが通じることとなる。中空部３０と中空部３４とが通じることにより、密閉缶体１４内の圧力によって、化粧品がパイプ２２から中空部３０及び３４を通って噴出口２４から噴出する。
【００１３】
次に、スプレー缶２００が使用済となり、スプレー缶２００を廃棄する場合、押圧部材３８を９０°回動させ、押圧部材を押圧して移動部材３２を下へ移動させた状態で、図２（ａ）に示すように、凸部２０４を爪部２０６の下に係合させる。凸部２０４を爪部２０６の下に係合させることにより、図２（ｂ）に示すように、パッキン３６が変形して中空部３０と中空部３４とが通じる状態が維持される。中空部３０と中空部３４とが通じる状態が維持されることにより、押圧部材３８から手を離して放置しておいても、化粧品がパイプ２２から中空部３０及び３４を通って噴出口２４から噴出し続け、密閉缶体１４内の圧力が自動的に抜かれていく。
【００１４】
このようにして化粧品を密閉缶体１４から抜くことにより、密閉缶体１４内の圧力が減少して略大気圧と同じになる。圧力が略大気圧と同じになった状態でスプレー缶２００を廃棄処分する。
【００１５】
次に、本願発明に係るスプレー缶の圧抜き構造について説明する。
【００１６】
図３に示すように本実施形態のスプレー缶の圧抜き構造３５０は、押圧部材３８を囲むように密閉缶体１４のかしめ突起部１５にガード３５２を取り付け、このガード３５２に設けた軸受け３５４に、押圧部材３８の一端部に設けた軸部３５６を係合することによって、押圧部材３８の他端部に設けたレバー３５７を操作して押圧部材３８を上下移動させるように構成されている。ガード３５２の上部には、開放維持手段として、折り曲げ可能な一対の折曲プレート３５８が設けられている。このスプレー缶の圧抜き構造３５０は、廃棄時には、レバー３５７を引いて押圧部材３８を下へ移動させてから、図３（ｂ）の鎖線で示すように、折曲プレート３５８を押圧部材３８側へ折り曲げることによって、折曲プレート３５８の下側に押圧部材３８を係合させる。このことで、押圧部材３８の押圧状態が維持され、噴出経路１６が開放されて化粧品が噴出する状態に維持できる。
【００１７】
以上、本発明の一実施形態について説明したが、本発明のスプレー缶の圧抜き構造は、その他の形態でも実施し得るものである。
【００１８】
図４に示すように、スプレー缶の圧抜き構造３４０として、押圧部材３８を挟むように密閉缶体１４のかしめ突起部１５にガード３４２を取り付け、このガード３４２の押圧部材３８に対向する内側面に、一対の上溝３４４と、開放維持手段を構成する一対の下溝３４６とを設け、これら一対の上溝３４４間、又は一対の下溝３４６間にプレート３４８を抜き差し可能に係合しても良い。このスプレー缶の圧抜き構造３４０は、販売時には、図４に示すように、プレート３４８が一対の上溝３４４間に係合され、押圧部材３８の上方を覆って押圧部材３８を下へ移動させて化粧品を噴出することができない状態となっている。
【００１９】
そして、化粧品を噴出させる場合には、プレート３４８を上溝３４４間から後方へ引き抜いて外し、押圧部材３８を下へ移動させて化粧品を噴出することができる。また、廃棄時には、押圧部材３８を下へ移動させてから、プレート３４８を下溝３４６間へ差し入れ、プレート３４８の下側に押圧部材３８を係合して止めることによって、噴出経路１６を開放した状態に維持することができ、化粧品が噴出する状態に維持できる。このスプレー缶の圧抜き構造３４０にあっても、かしめ突起を有する従来の密閉缶体に適用できるので、ガード３４２及びプレート３４８を用意しさえすれば、従来の密閉缶体に対する圧抜き作業を行うことができる。
【００２０】
なお、上溝３４４、下溝３４６の形成方向、即ち、プレート３４８の差込方向は、押圧部材３８の移動方向に対し垂直方向に限定されるものではなく、押圧部材３８を押下げ状態に維持できるのであれば、押圧部材３８の移動方向に対し平行方向に形成しても良く、斜め方向に形成しても良い。なお、一対の上溝３４４間又は一対の下溝３４６間にプレート３４８を抜き差し可能に係合する代わりに、ガード３４２の押圧部材３８に対向する内側面に、一対の上孔と開放維持手段を構成する一対の下孔とを設け、これら一対の上孔間又は一対の下孔間にピン材を抜き差し可能に係合しても良い。また、図４では、ガード３４２を密閉缶体１４の上方からかしめ突起部１５の外側に嵌合して取り付ける例を示しているが、ガード３４２を密閉缶体１４のかしめ突起部１５の内側に嵌合しても良く、また、ガード３４２を密閉缶体１４の側方からかしめ突起部１５の外側に嵌合しても良い。更にまた、密閉缶体１４の上部に外向きの爪部を設け、この爪部にガード３４２を着脱自在に係合させて取り付けても良く、密閉缶体１４の上部にガード３４２を螺着して取り付けても良い。
【００２１】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【００２２】
例えば、密閉缶体は化粧品の容器、ガスボンベ以外のものであっても良い。また、押圧部材、ガード、キャップの形状についても上記実施形態に限定されるものではなく、例えば、押圧部材を熊の頭部の形状にするなど、動物、植物等を模した形状に形成しても良い。更にまた、上記実施形態では、スプレー噴射構造として、バネの付勢力に抗して移動部材３２を押し下げてパイプ支持部材２８の中空部３０と移動部材３２の中空部３４との連結部を閉鎖しているパッキン３６を曲げ変形させることによって、これら中空部３０と中空部３４とを連通させて化粧品等を噴射させるタイプのスプレー噴射構造を例示しているが、本発明は勿論これに限定されるものではなく、上方へ付勢された移動部材を押し下げることによって、それまで閉鎖されていた噴射経路の一部分又は複数部分を開放させて化粧品等を噴射させることができる噴射構造であれば、各種のスプレー噴射構造を用いることができる。移動部材の付勢手段についても、コイルバネに限定されるものではなく、例えば、板バネ、空気バネ等を利用することができる。
【図面の簡単な説明】
【００２３】
【図１】従来の圧抜き構造を備えたスプレー缶を示す図であり、同図（ａ）は平面図であり、同図（ｂ）は一部正面断面図である。
【図２】図１のスプレー缶の使用状態を示す図であり、（ａ）は平面図であり、（ｂ）は一部正面断面図である。
【図３】本発明に係るスプレー缶の圧抜き構造の実施形態を示す図であり、（ａ）は一部正面断面図であり、（ｂ）は平面図である。
【図４】スプレー缶の圧抜き構造を示す一部正面断面図である。
【図５】従来のスプレー缶を示す正面断面図である。
【図６】図５のスプレー缶の使用状態を示す一部正面断面図である。
【図７】図５のスプレー缶の使用状態を示す一部正面断面図である。
【符号の説明】
【００２４】
３５０；スプレー缶の圧抜き構造
１４；密閉缶体
１５；密閉缶体のかしめ突起部
１６；噴出経路
１８；開閉手段
２２；パイプ
２４；噴出口
２６；連結経路
２８；パイプ支持部材
３０；パイプ支持部材の中空部
３２；移動部材
３４；移動部材の中空部
３６；パッキン
３８；押圧部材
３５２；ガード
３５７；レバー
３５８；折曲プレート
【図１】
0004497420.tif 000002
【図２】
0004497420.tif 000003
【図３】
0004497420.tif 000004
【図４】
0004497420.tif 000005
【図５】
0004497420.tif 000006
【図６】
0004497420.tif 000007
【図７】
0004497420.tif 000008